(57)【要約】【課題】表示器の組み付け構造の簡単化を図り且つ組み付け後の完成度を向上させる。【解決手段】表示器１０と、前記表示器１０を取り付ける第１ケース２０と、前記第１ケース２０に取り付けられ且つ前記表示器１０を露出する露出部３２を有する第２ケース３０と、を有する表示装置１において、前記表示器１０が、前記第１ケース２０に向かって突出する第１突出部１５と、前記第２ケース３０に向かって突出する第２突出部１６と、を有し、前記第１ケース２０が、前記表示器１０の取り付けに応じて前記第１突出部１５が挿入され且つ前記第１突出部１５が挿入された状態で前記表示器１０を前記第１ケース２０に対して相対移動が可能な形状に形成された穴部２３を有し、前記第２ケース３０が、前記表示器１０の第２突出部１６が嵌合したときに前記表示器１０を前記露出部３２に位置付ける位置に形成された筒部３３を有することを特徴とする。【選択図】図１
2010048840.tif 000002
【特許請求の範囲】
【請求項１】
表示器と、前記表示器を取り付ける第１ケースと、前記第１ケースに取り付けられ且つ前記表示器を露出する露出部を有する第２ケースと、を有する表示装置において、
前記表示器が、前記第１ケースに向かって突出する第１突出部と、前記第２ケースに向かって突出する第２突出部と、を有し、
前記第１ケースが、前記表示器の取り付けに応じて前記第１突出部が挿入され且つ前記第１突出部が挿入された状態で前記表示器を前記第１ケースに対して相対移動が可能な形状に形成された穴部を有し、
前記第２ケースが、前記表示器の第２突出部が嵌合したときに前記表示器を前記露出部に位置付ける位置に形成された筒部を有することを特徴とする表示装置。
【請求項２】
前記第２ケースの筒部が、前記表示器の第２突出部の嵌合方向以外の方向からの前記嵌合方向に前記第２突出部を誘導する誘導部を有することを特徴とする請求項１に記載の表示装置。
【請求項３】
前記第２ケースの筒部が、前記露出部の縁部と前記表示器の表面との間に所定の隙間を形成する形状に形成されたことを特徴とする請求項１又は２に記載の表示装置。
【発明の詳細な説明】
【技術分野】
【０００１】
本発明は、表示器と、前記表示器を取り付ける第１ケースと、前記第１ケースに取り付けられ且つ前記表示器を露出する露出部を有する第２ケースと、を有する表示装置に関するものである。
【背景技術】
【０００２】
特許文献１に示す表示装置は、液晶パネルと、この液晶パネルの背後に設けられるプリント基板と、このプリント基板の前方に設けられて液晶パネルを保持する保持体と、プリント基板側に延在する延長部とこの延長部の先端側に設けられる係止部とを有し且つこの係止部をプリント基板に設けた被係止部に係止することにより、液晶パネルを保持体を介してプリント基板上に固定する抑え部材とを有している。表示装置はその延長部に壁部と当接することにより延長部自体を位置規制し、係止部と被係止部との係合外れを防止する突起片を設けたことで、取り付け信頼性の向上を図ってきた。
【特許文献１】特開２００１−２１５８９５号公報
【発明の開示】
【発明が解決しようとする課題】
【０００３】
上述した表示装置のように、液晶パネル（表示器に相当）をケース等に組み付ける際に用いられる構造は位置決めやガタツキ防止、異音防止構造が主なものであった。しかしながら、そのような構造では液晶パネル側の規制部の点数と、規制部におけるケース側の形状が複雑化してしまい、組み付け工数が増加すると共に、組み付け後の完成度が低下してしまうという問題があった。
【０００４】
よって本発明は、上述した問題点に鑑み、表示器の組み付け構造及びケース形状の簡単化を図ることができる表示装置を提供することを課題としている。
【課題を解決するための手段】
【０００５】
上記課題を解決するため本発明によりなされた請求項１記載の表示装置は、表示器と、前記表示器を取り付ける第１ケースと、前記第１ケースに取り付けられ且つ前記表示器を露出する露出部を有する第２ケースと、を有する表示装置において、前記表示器が、前記第１ケースに向かって突出する第１突出部と、前記第２ケースに向かって突出する第２突出部と、を有し、前記第１ケースが、前記表示器の取り付けに応じて前記第１突出部が挿入され且つ前記第１突出部が挿入された状態で前記表示器を前記第１ケースに対して相対移動が可能な形状に形成された穴部を有し、前記第２ケースが、前記表示器の第２突出部が嵌合したときに前記表示器を前記露出部に位置付ける位置に形成された筒部を有することを特徴とする。
【０００６】
上記請求項１に記載した本発明の表示装置によれば、表示器の第１突出部は第１ケースの穴部に挿入されることで、表示器が第１ケースに仮取り付けされる。そして、第２ケースを第１ケースに近づけると共に、表示器を第１ケースに沿って相対的に移動させて第２突出部を第２ケースの筒部に嵌合させることで、表示器が第２ケースの露出部に位置付けられて固定される。
【０００７】
請求項２記載の発明は、請求項１に記載の表示装置において、前記第２ケースの筒部が、前記表示器の第２突出部の嵌合方向以外の方向からの前記嵌合方向に前記第２突出部を誘導する誘導部を有することを特徴とする。
【０００８】
上記請求項２に記載した本発明の表示装置によれば、表示器の第２突出部が第２ケースの筒部に対する嵌合方向からずれていると、その筒部の誘導部によって嵌合方向に誘導することができる。
【０００９】
請求項３記載の発明は、請求項１又は２に記載の表示装置において、前記第２ケースの筒部が、前記露出部の縁部と前記表示器の表面との間に所定の隙間を形成する形状に形成されたことを特徴とする。
【００１０】
上記請求項３に記載した本発明の表示装置によれば、第２ケースの筒部に表示器の第２突出部が嵌合されると、第２ケースの露出部の縁部と表示器の表面との間には所定の隙間を形成することができる。
【発明の効果】
【００１１】
以上説明したように請求項１に記載した本発明によれば、第１ケースの穴部へ表示器の第１突出部が挿入されても、表示器を第１ケースに沿っての相対移動を可能とし、且つ、表示器の第２突出部を第２ケースの筒部に嵌合させるようにしたことから、表示器を第１ケースに仮取り付けした状態で第２ケースに位置決めして取り付けることができるため、組み付け性の向上を図ることができる。また、表示器には第１突出部及び第２突出部を形成し且つ第１ケースの穴部と第２ケースの筒部のみを形成するだけで、表示器の収容部分に爪構造やバネ形状などが必要なくなるため、表示器の組み付け構造及びケース形状の簡単化を図ることができる。
【００１２】
請求項２に記載した本発明によれば、表示器の第２突出部が嵌合方向からずれた方向から組み付けようとしても、第２ケースの筒部に形成した誘導部によって表示器の第２突出部を確実に嵌合方向に誘導することができるため、より一層の組み付け性の向上を図ることができる。
【００１３】
請求項３に記載した本発明によれば、第２ケースの筒部に第２突出部を嵌合することで、第２ケースの露出部の縁部と表示器の表面との間に所定の隙間を形成するようにしたことから、露出部の縁部が表示器の表面に擦れることもないので、構造を簡単化しても、縁部の擦れによる異音の発生を防止できる。
【発明を実施するための最良の形態】
【００１４】
以下、本発明に係る表示装置を車両のコンビネーションメータに適用した場合の一実施形態を、図１〜図４の図面を参照して以下に説明する。
【００１５】
図１及び図２において、表示装置１は、表示器１０と、前記表示器１０を取り付ける第１ケース２０と、前記第１ケース２０に取り付けられ且つ前記表示器１０を露出する露出部を有する第２ケース３０と、を有して構成している。
【００１６】
なお、表示装置１は、図２等に示すように、公知である車両のコンビネーションメータを構成する速度計２、回転計３、等の指針式計器を、表示器１０の両側に配置する構成となっているが、本発明とは直接関係ないため、その説明は省略する。
【００１７】
表示器１０は、図１，３等に示すように、方形状の液晶ディスプレイ（ＬＣＤ）１１と、バックライトユニット１２と、ＬＣＤ１１とバックライトユニット１２とを積層した状態で収容するＬＣＤケース１３と、複数（図１中では２つ）の延在部１４と、前記延在部１４の各々から第１ケース２０に向かって突出する複数の第１突出部１５と、前記延在部１４の各々から前記第２ケース３０に向かって突出する複数の第２突出部１６と、を有して構成している。
【００１８】
ＬＣＤ１１は、接続ケーブル１１ａを介して制御ユニット（図示せず）と電気的に接続され、図２に示すように、その制御ユニットの制御によってシフトポジション、オド・トリップメータ、平均速度、燃料残量、等の表示対象が表示される。なお、本実施形態では、ＬＣＤ１１を用いるが、例えば蛍光表示管（ＶＦＤ）等の自発光デバイスを用いることができる。
【００１９】
バックライトユニット１２は、ＬＣＤ１１の背面側に対向するように設けられ、ＬＣＤ１１を発光させるための光、つまり、ＬＣＤ１１を透過させるための光を発する。バックライトユニット１２は、ＬＥＤ、蛍光管等の各種光源が用いられ、プリント基板に電気的に接続される。そして、バックライトユニット１２は、ＬＣＤ１１が表示を行う際に、前記制御ユニットの制御によって点灯する。そして、ＬＣＤケース１３は、ＬＣＤ１１とバックライトユニット１２と収容可能な形状で合成樹脂部材等によって形成している。
【００２０】
延在部１４は、第１ケース２０の長手方向に向かってＬＣＤケース１３から延在するように形成している。第１突出部１５は、図３に示すように、第１ケース２０のケース本体２１の厚さよりも短く、且つ、断面がケース本体２１の穴部２３よりも小さくなるように形成している。第２突出部１６は、第１突出部１５よりも長く、第２ケース３０の筒部３３の筒穴３３ａと同等の長さ且つ嵌合するサイズで形成している。
【００２１】
第１ケース２０は、ケース本体２１と、収容部２２と、複数の穴部２３と、複数の係止受け部２４と、を有して構成している。
【００２２】
ケース本体２１は、第２ケース３０が取り付けられる表面２１ａが平面となるように、略長方形の板状に形成している。収容部２２は、表示器１０が取り付けられるケース本体２１の中央付近に形成されている。収容部２２は、表示器１０が収容可能で、表示器１０の同等の厚さ且つその外形よりも若干大きな凹部として形成している。即ち、図３に示すように、収容部２２に表示器１０が収容されると、表示器１０が収容部２２内を移動可能となり、且つ、ケース本体の表面２１ａとＬＣＤ１０の表面が連続する平面となっている。よって、収容部２２は第１ケース２０と第２ケース３０との組み付け誤差、表示器１０の第１突出部１５及び第２突出部１６の製造誤差、等を考慮して設計することが好ましい。
【００２３】
穴部２３は、上述した表示器１０の第１突出部１５に対応し且つ収容部２２に連なるケース本体２１の凹部２１ｂの底面に形成している。穴部２３は、表示器１０の第１ケース２０に対する取り付けに応じて第１突出部１５が挿入され且つ第１突出部１５が挿入された状態で表示器１０を第１ケース２０に対して相対移動が可能な径で形成している。即ち、ケース本体２１の収容部２２と同様に、穴部２３の径のサイズは、上述した各種誤差を考慮して設計することが好ましい。
【００２４】
係止受け部２４は、第２ケース３０の係合部３４と係合することで、第１ケース２０に第２ケース３０を係合固定する。これにより、第１ケース２０と第２ケース３０は螺子留め等の固定部材を不要としている。
【００２５】
第２ケース３０は、ケース本体３１と、露出部３２と、複数（図１中では２つ）の筒部３３と、複数（図１中では４つ）の係止部３４と、を有して構成している。第２ケース３０は、表示器１０や前記指針式計器の周囲を隠す見返しとなっている。
【００２６】
ケース本体３１は、第１ケース２０のケース本体２１と同等の外形で、利用者から視認される表面３１ａが平面となるように、略長方形の板状に形成している。露出部３２は、第２ケース３０の背後に位置する表示器１０を利用者等に視認させる方形状の開口として形成している。露出部３２は、ケース本体３１の縁から表示器１０に向かって延びる縁部３２ａを有している。縁部３２ａは、図３に示すように、表示器１０のＬＣＤケース１３の端部と対向する位置に形成しており、露出部３２から表示装置１０の内部が利用者から目視されることを防止している。
【００２７】
筒部３３は、ケース本体３１の裏面から表示器１０の第２突出部１６に向かって突出して形成している。筒部３３は、第２突出部１６が嵌合する筒穴３３ａを有している。筒穴３３ａの長さ（深さ）は、図３に示すように、表示器１０の第２突出部１６の先端が当接部３３ｂに当接したときに、露出部３２の縁部３２ａの端面と表示器１０のＬＣＤケース１３の先端面との間に所定の隙間Ｔが生じるように形成している。このように構成することで、露出部３２の縁部３２ａが表示器１０の表面（ＬＣＤケース１３の先端面）に擦れることもないので、構造を簡単化しても、縁部３２ａの擦れによる異音の発生を防止できる。よって、表示器１０の表面と縁部３２ａとの隙間Ｔの寸法を考慮して、筒穴３３ａの長さ（深さ）を設計することが好ましい。
【００２８】
筒部３３は、表示器１０の第２突出部１６の嵌合方向Ｘ（図３参照）以外の方向からの嵌合方向Ｘに第２突出部１６を誘導する誘導部３５を有している。誘導部３５は、テーパ部３５ａと、スリット３５ｂと、を有して構成している。テーパ部３５ａは、筒部３３の筒穴３３ａの入口付近から筒穴３３ａの中心軸に向かうテーパ状に形成している。
【００２９】
スリット３５ｂは、図４に示すように、複数の筒部３３の中の一部に嵌合方向Ｘに延びるように形成している。スリット３５ｂは、上述した嵌合方向Ｘ（図３参照）以外の方向から表示器１０の第２突出部１６が組み付けられるときに、筒穴３３ａの形状を変形可能とすることで、第２突出部１６が多少斜めに傾いても、組み付けが成立するように設定されている。なお、本実施形態では、筒部３３にスリット３５ｂを形成した場合について説明するが、本発明はこれに限定するものではなく、例えば、筒穴３３ａの中心軸と垂直に交わる径方向の断面を長穴形状とするなど種々異なる実施形態とすることができる。
【００３０】
このように誘導部３５として筒部３３にテーパ部３５ａ及びスリット３５ｂを形成することで、表示器１０の第２突出部１６を確実に嵌合方向Ｘに誘導することができるため、より一層の組み付け性の向上を図ることができる。なお、誘導部３５は、テーパ部３５ａ及びスリット３５ｂの何れか一方を任意に設けるなど種々異なる実施形態とすることができる。
【００３１】
係止部３４は、上述した第１ケース２０の係止受け部２４と係合することで、第１ケース２０と第２ケース３０を係合固定することで、第１ケース２０と第２ケース３０との内部が表示器１０を収容する収容空間となる。
【００３２】
次に、上述した表示装置１の組み付け方法の一例を説明する。
【００３３】
まず、第１ケース２０の収容部２２に表示器１０を近づけ、表示器１０の複数の第１突出部１５の各々を第１ケース２０の複数の穴部２３に挿入させながら、収容部２２に表示器１０を収容する。そして、表示器１０を第１ケース２０に対して相対移動させるとともに、その上方からスリット３５ｂが形成されていない筒部３３が表示器１０の第２突出部１６に近づくように、第２ケース３０を第１ケース２０に近づける。
【００３４】
表示器１０の第２突出部１６の先端部分を第２ケースの筒部３３に嵌合させ、その後もう一方の表示器１０の第２突出部１６に、スリット３５ｂが形成された筒部３３を近づけてその先端部分を嵌合させる。このとき、第２突出部１６の向きが嵌合方向Ｘからずれていると、第２突出部１６の挿入に応じて誘導部３５によって嵌合方向Ｘに誘導されて調整される。そして、双方の第２突出部１６の先端が、筒部３３の筒穴３３ａの当接部３３ｂに当接するまで、第２ケース３０を第１ケース２０に押し付ける。その結果、第２突出部１６の先端が、筒部３３の筒穴３３ａの当接部３３ｂに当接し、第１ケース２０の係止受け部２４と第２ケース３０の係止部３４が係止することで、第１ケース２０と第２ケース３０が固定されて表示装置１が完成する。
【００３５】
以上説明した表示装置１によれば、第１ケース２０の穴部２３へ表示器１０の第１突出部１５が挿入されても、表示器１０を第１ケース２０に沿っての相対移動を可能とし、且つ、表示器１０の第２突出部１６を第２ケース３０の筒部３３に嵌合させるようにしたことから、表示器１０を第１ケース２０に仮取り付けした状態で第２ケース３０に位置決めして取り付けることができるため、組み付け性の向上を図ることができる。また、表示器１０には第１突出部１５及び第２突出部１６を形成し且つ第１ケース２０の穴部２３と第２ケース３０の筒部３３のみを形成するだけで、表示器１０の収容部分に爪構造やバネ形状などが必要なくなるため、表示器１０の組み付け構造及びケース形状の簡単化を図ることができる。
【００３６】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００３７】
【図１】本発明の表示装置の概略構成を示す分解斜視図である。
【図２】本発明の表示装置の正面を示す正面図である。
【図３】第１ケースと第２ケースと表示器の第１突出部及び第２突出部との関係を説明するための部分断面拡大図である。
【図４】図１中の部分Ａを拡大した拡大部である。
【符号の説明】
【００３８】
１    表示装置
１０    表示器
１５    第１突出部
１６    第２突出部
２０    第１ケース
２３    穴部
３０    第２ケース
３２    露出部
３３    筒部
３５    誘導部
【図１】
2010048840.tif 000003
【図２】
2010048840.tif 000004
【図３】
2010048840.tif 000005
【図４】
2010048840.tif 000006